(57)【要約】【課題】吹出口の風向調整羽根の向きを室内空気吸入口側に向けて調和空気を吹き出す場合でも、室温を的確に目標温度に近付けることができる空調動作制御を可能にする。【解決手段】空気調和装置１は、操作部７０３と、室内ファン４１により空気流路３５ａ内に吸入される空気の温度を検出する室内温度センサ４５と、風向調整羽根７１〜７４の向きが吹出口３６における調和空気の通過風量を低減させるときに、室内温度センサ４５によって検出された室内温度を、所定の補正値により補正する温度補正部７０１１と、操作部７０３に入力された目標温度と、温度補正部７０１１によって補正された補正温度とに基づいて空調動作を制御する空調動作制御部７０１２とを備える。【選択図】図１
2011231975.tif 000002
【特許請求の範囲】
【請求項１】
内部に空気流路(35a)が形成されたケーシング(31)と、
前記ケーシング(31)内に設けられ、前記空気流路(35a)内に空気を吸入させた後に、前記空気流路(61a,52a)内から空気を吹き出すための送風ファン(41)と、
前記ケーシング(31)内に設けられ、前記空気流路(35a)内を流れる空気の熱交換を行うための熱交換器(42)と、
前記ケーシング(31)に設けられ、前記空気流路(35a)に連通する吸入口(35)と、
前記ケーシング(31)において前記吸入口(35)の外側に配置されて前記空気流路(61a,52a)に連通する複数の吹出口(36)と、
前記各吹出口(36)に回動可能に配設され、前記吹出口(36)における前記調和空気の通過風量を低減させる回動動作を行う風向調整羽根(71,72,73,74)と、
前記風向調整羽根(71,72,73,74)を回動させる回動駆動部(95)と、
前記回動駆動部(95)による前記風向調整羽根(71,72,73,74)の回動動作を制御し、前記風向調整羽根(71,72,73,74)により前記吹出口(36)における前記調和空気の通過風量を低減させる回動動作制御部(7021)と、
前記送風ファン(41)により前記空気流路(35a)内に吸入される空気の温度を検出する吸入温度検出部(45)と、
前記回動動作制御部(7021)が前記風向調整羽根(71,72,73,74) により前記吹出口(36)における前記調和空気の通過風量を低減させたときに、前記吸入温度検出部(45)によって検出された吸入温度を、予め定められた補正値により補正する温度補正部(7011)と、
前記温度補正部(7011)によって補正された補正温度を用いて空調動作を制御する空調動作制御部(7012)と、
を備えた空気調和装置(1)。
【請求項２】
前記回動動作制御部(7021)は、前記各風向調整羽根(71,72,73,74)を個別に回動させて前記吹出口(36)における前記調和空気の通過風量を低減させ、
前記温度補正部(7011)は、前記回動動作制御部(7021)による制御で前記吹出口(36)における前記調和空気の通過風量を低減させている前記風向調整羽根(71,72,73,74)の数に応じて前記補正値を変更する請求項１に記載の空気調和装置(1)。
【請求項３】
前記温度補正部(7011)は、前記回動動作制御部(7021)による制御で前記吹出口(36)における前記調和空気の通過風量を低減させている前記各風向調整羽根(71,72,73,74)が配設されているそれぞれの前記吹出口(36)についての前記吸入温度検出部(45)との位置関係に応じて前記補正値を更に変更する請求項２に記載の空気調和装置(1)。
【請求項４】
前記温度補正部(7011)は、前記回動動作制御部(7021)による制御で前記吹出口(36)における前記調和空気の通過風量を低減させている前記風向調整羽根(71,72,73,74)以外の風向調整羽根(71,72,73,74)の向きが鉛直下向きとされている場合には、前記補正値を更に変更する請求項２又は請求項３に記載の空気調和装置(1)。
【請求項５】
前記吹出口(36)から吹き出される空気の風量を検出する風量検出部(49)を更に備え、
前記温度補正部(7011)は、前記回動動作制御部(7021)による制御で前記風向調整羽根(71,72,73,74)の向きが前記吹出口(36)における前記調和空気の通過風量を低減させる方向とされているときには、前記風量検出部(49)によって検出される風量に応じて前記補正値を更に変更する請求項２乃至請求項４のいずれかに記載の空気調和装置(1)。
【請求項６】
室内機側の前記熱交換器(42)の温度を検出する熱交換器温度検出部(46)を更に備え、
前記温度補正部(7011)は、前記回動動作制御部(7021)によって前記風向調整羽根(71,72,73,74)の向きが前記吹出口(36)における前記調和空気の通過風量を低減させる方向とされているときには、前記熱交換器温度検出部(46)によって検出される前記熱交換器(42)の温度に応じて前記補正値を更に変更する請求項２乃至請求項５のいずれかに記載の空気調和装置(1)。
【請求項７】
前記吹出口(36)から吹き出される空気の温度を検出する吹出温度検出部(48)を更に備え、
前記温度補正部(7011)は、前記回動動作制御部(7021)によって前記風向調整羽根(71,72,73,74)の向きが前記前記吹出口(36)における前記調和空気の通過風量を低減させる方向とされているときには、前記吹出温度検出部(48)によって検出される温度に応じて前記補正値を更に変更する請求項２乃至請求項６のいずれかに記載の空気調和装置(1)。
【請求項８】
当該空気調和装置(1)が設置されている室内の床面温度を検出する床面温度検出部(47)を更に備え、
前記温度補正部(7011)は、前記補正温度に予め定められた第１寄与率を用いて算出された温度と、前記床面温度検出部(47)によって検出された床面温度に予め定められた第２寄与率を用いて算出された床面温度との和を人体付近温度として検出し、
前記空調動作制御部(7012)は、前記温度補正部(7011)によって補正された吸入温度に代えて、前記検出された人体付近温度に基づいて、空調動作を制御する請求項２乃至請求項７のいずれかに記載の空気調和装置(1)。
【発明の詳細な説明】
【技術分野】
【０００１】
本発明は、空気調和装置に関し、特に、吹出口に設けられた風向調整羽根の向きを、吸入口側に向けた場合における空調動作の制御に関する。
【背景技術】
【０００２】
空気調和装置は、操作者により設定された目標室内温度に室温が近くなるように空調動作を制御する。このとき、一般に、空気調和装置の室内機では、室内空気の吸入口に取り付けられた吸入温度センサが検出した温度を室内温度として用いて空調動作制御を行う。また、調和空気の吹出口に、当該調和空気の吹き出し方向を変化させる風向調整羽根が設けられている空気調和装置も多く知られている。このような空気調和装置では、下記特許文献１に示されるように、風向調整羽根の向きを、吹出口よりも内側に位置する吸入口側に向けた内方吹き出し方向にも回動が可能とされ、また、当該吹出口が複数設けられている場合には、各吹出口の風向調整羽根をそれぞれ別個に回動させることも可能である（個別風量抑制制御）。このように風向調整羽根の向きを個別に内方吹き出し方向とすることで、各吹出口に個別に抵抗を付け、各吹出口からの風速をそれぞれに低減させて風量を調整可能とする。
【先行技術文献】
【特許文献】
【０００３】
【特許文献１】特許第４１０７３３３号公報
【発明の概要】
【発明が解決しようとする課題】
【０００４】
しかし、上記のように風向調整羽根の向きを内方吹き出し方向として、吹出口から調和空気を吹き出す場合、当該調和空気は、吹き出し時の風速が低下しているために、吹き出された直後の調和空気が上記吸込口から取り込まれてしまう（ショートサーキット）。これにより、吸入温度センサによって検出される室内温度が、本来の室内温度よりも、暖房時は高く、冷房時は低く検出される虞がある。このため、空気調和装置において、当該検出温度に基づいて空調動作を制御しても、室温を的確に目標温度に近付けることができない場合が生じ得る。
【０００５】
本発明は、上記の問題を解決するためになされたもので、吹出口の風向調整羽根の向きを室内空気吸入口側に向けて調和空気を吹き出す場合であっても、室温を的確に目標温度に近付けることができる空調動作制御を可能にすることを目的とする。
【課題を解決するための手段】
【０００６】
本発明の請求項１に記載の発明は、内部に空気流路(35a)が形成されたケーシング(31)と、
前記ケーシング(31)内に設けられ、前記空気流路(35a)内に空気を吸入させた後に、前記空気流路(61a,52a)内から空気を吹き出すための送風ファン(41)と、
前記ケーシング(31)内に設けられ、前記空気流路(35a)内を流れる空気の熱交換を行うための熱交換器(42)と、
前記ケーシング(31)に設けられ、前記空気流路(35a)に連通する吸入口(35)と、
前記ケーシング(31)において前記吸入口(35)の外側に配置されて前記空気流路(61a,52a)に連通する複数の吹出口(36)と、
前記各吹出口(36)に回動可能に配設され、前記吹出口(36)における前記調和空気の通過風量を低減させる回動動作を行う風向調整羽根(71,72,73,74)と、
前記風向調整羽根(71,72,73,74)を回動させる回動駆動部(95)と、
前記回動駆動部(95)による前記風向調整羽根(71,72,73,74)の回動動作を制御し、前記風向調整羽根(71,72,73,74)により前記吹出口(36)における前記調和空気の通過風量を低減させる回動動作制御部(7021)と、
前記送風ファン(41)により前記空気流路(35a)内に吸入される空気の温度を検出する吸入温度検出部(45)と、
前記回動動作制御部(7021)が前記風向調整羽根(71,72,73,74) により前記吹出口(36)における前記調和空気の通過風量を低減させたときに、前記吸入温度検出部(45)によって検出された吸入温度を、予め定められた補正値により補正する温度補正部(7011)と、
前記温度補正部(7011)によって補正された補正温度を用いて空調動作を制御する空調動作制御部(7012)と、
を備えた空気調和装置(1)である。
【０００７】
この発明によれば、風向調整羽根の向きが吹出口における調和空気の通過風量を低減させる方向とされているときに、吹出口から吹き出された調和空気が吸入口から取り込まれて、吸入温度検出部によって検出される温度が本来の室内温度とは異なってしまう場合であっても、温度補正部は、風向調整羽根が吹出口における調和空気の通過風量を低減させるときに、吸入温度検出部によって検出された吸入温度を、上記補正値を用いて補正するので、例えば、当該補正値を、上記吸入口から取り込まれる調和空気の温度の影響を相殺可能な値とする等により、制御部が、当該補正された補正温度を用いて空調動作を制御することで、室温を的確に目標温度に近付ける空調動作制御が可能になる。
【０００８】
本発明の請求項２に記載の発明は、請求項１に記載の空気調和装置(1)であって、前記回動動作制御部(7021)は、前記各風向調整羽根(71,72,73,74)を個別に回動させて前記吹出口(36)における前記調和空気の通過風量を低減させ、
前記温度補正部(7011)は、前記回動動作制御部(7021)による制御で前記吹出口(36)における前記調和空気の通過風量を低減させている前記風向調整羽根(71,72,73,74)の数に応じて前記補正値を変更するものである。
【０００９】
この発明では、前記吹出口(36)における前記調和空気の通過風量を低減させる方向とされた風向調整羽根の数の増減により、吹出口から吹き出された調和空気が吸入口から取り込まれる量が異なる場合であっても、例えば、上記補正値を、当該取り込まれる調和空気量の増減に応じて変更すれば、制御部による空調動作制御により、室温を更に的確に目標温度に近付けることが可能になる。
【００１０】
また、請求項３に記載の発明によれば、請求項２に記載の空気調和装置(1)であって、前記温度補正部(7011)は、前記回動動作制御部(7021)による制御で前記吹出口(36)における前記調和空気の通過風量を低減させている前記各風向調整羽根(71,72,73,74)が配設されているそれぞれの前記吹出口(36)についての前記吸入温度検出部(45)との位置関係に応じて前記補正値を更に変更するものである。
【００１１】
この発明によれば、吹出口における調和空気の通過風量を低減させる方向とされた風向調整羽根が配設されている吹出口と吸入温度検出部との位置関係が異なることに応じて、吸入口から取り込まれる調和空気が吸入温度検出部に与える影響が異なる場合であっても、例えば、上記補正値を、当該調和空気が吸入温度検出部に与える影響度に応じて変更すれば、制御部による空調動作制御により、室温を更に的確に目標温度に近付けることが可能になる。
【００１２】
また、請求項４に記載の発明によれば、請求項２又は請求項３に記載の空気調和装置(1)であって、前記温度補正部(7011)は、前記回動動作制御部(7021)による制御で前記吹出口(36)における前記調和空気の通過風量を低減させている前記風向調整羽根(71,72,73,74)以外の風向調整羽根(71,72,73,74)の向きが鉛直下向きとされている場合には、前記補正値を更に変更するものである。
【００１３】
この発明では、吹出口における調和空気の通過風量を低減させている風向調整羽根の存在に加え、これ以外の風向調整羽根の向きが鉛直下向とされており、これら各風向調整羽根の向きが、吸入口から取り込まれる調和空気の量を異ならせる場合であっても、例えば、上記補正値を、この場合に取り込まれる上記調和空気の量の増減に応じて変更すれば、制御部による空調動作制御により、室温を更に的確に目標温度に近付けることが可能になる。
【００１４】
また、請求項５に記載の発明によれば、請求項２乃至請求項４のいずれかに記載の空気調和装置(1)であって、前記吹出口(36)から吹き出される空気の風量を検出する風量検出部(49)を更に備え、
前記温度補正部(7011)は、前記回動動作制御部(7021)による制御で前記風向調整羽根(71,72,73,74)の向きが前記吹出口(36)における前記調和空気の通過風量を低減させる方向とされているときには、前記風量検出部(49)によって検出される風量に応じて前記補正値を更に変更するものである。
【００１５】
この発明によれば、風向調整羽根が吹出口における調和空気の通過風量を低減させる方向とされているときに、吹出口から吹き出される空気の風量が異なることに起因して、吹出口から吹き出された調和空気が吸入口から取り込まれる量が異なる場合であっても、例えば、上記補正値を、当該吹出口から吹き出される空気の風量を勘案した値に変更すれば、制御部による空調動作制御により、室温を更に的確に目標温度に近付けることが可能になる。
【００１６】
また、請求項６に記載の発明によれば、請求項２乃至請求項５のいずれかに記載の空気調和装置(1)であって、室内機側の前記熱交換器(42)の温度を検出する熱交換器温度検出部(46)を更に備え、
前記温度補正部(7011)は、前記回動動作制御部(7021)によって前記風向調整羽根(71,72,73,74)の向きが前記吹出口(36)における前記調和空気の通過風量を低減させる方向とされているときには、前記熱交換器温度検出部(46)によって検出される前記熱交換器(42)の温度に応じて前記補正値を更に変更するものである。
【００１７】
この発明では、上記吸入口から取り込まれる調和空気が空調動作に与える影響は、風向調整羽根が吹出口における調和空気の通過風量を低減させる方向とされているときにおける熱交換器の温度に反映されることに基づいて、例えば、上記補正値を、当該熱交換器の温度に応じて変更すれば、制御部による空調動作制御により、室温を更に的確に目標温度に近付けることが可能になる。
【００１８】
また、請求項７に記載の発明によれば、請求項２乃至請求項６のいずれかに記載の空気調和装置(1)であって、前記吹出口(36)から吹き出される空気の温度を検出する吹出温度検出部(48)を更に備え、
前記温度補正部(7011)は、前記回動動作制御部(7021)によって前記風向調整羽根(71,72,73,74)の向きが前記前記吹出口(36)における前記調和空気の通過風量を低減させる方向とされているときには、前記吹出温度検出部(48)によって検出される温度に応じて前記補正値を更に変更するものである。
【００１９】
風向調整羽根が吹出口における調和空気の通過風量を低減させる方向とされて上記吸入口から調和空気が取り込まれる場合、当該取り込まれる調和空気の温度は、吹出口から吹き出される調和空気の温度に起因するので、上記吸入口から取り込まれる調和空気が空調動作に与える影響は、風向調整羽根が吹出口における調和空気の通過風量を低減させるときに当該吹出口から吹き出される調和空気の温度に起因する。このため、例えば、上記補正値を、当該吹出口から吹き出される調和空気の温度を勘案した値に変更すれば、制御部による空調動作制御により、室温を更に的確に目標温度に近付けることが可能になる。
【００２０】
また、請求項８に記載の発明によれば、請求項２乃至請求項７のいずれかに記載の空気調和装置(1)であって、当該空気調和装置(1)が設置されている室内の床面温度を検出する床面温度検出部(47)を更に備え、
前記温度補正部(7011)は、前記補正温度に予め定められた第１寄与率を用いて算出された温度と、前記床面温度検出部(47)によって検出された床面温度に予め定められた第２寄与率を用いて算出された床面温度との和を人体付近温度として検出し、
前記空調動作制御部(7012)は、前記温度補正部(7011)によって補正された吸入温度に代えて、前記検出された人体付近温度に基づいて、空調動作を制御するものである。
【００２１】
この発明では、温度補正部が、上記補正温度から上記第１寄与率を用いて算出された値と、床面温度検出部によって検出された床面温度から上記第２寄与率を用いて算出された床面温度との和を人体付近温度として検出し、空調動作制御部は、温度補正部によって補正された吸入温度に代えて、当該検出された人体付近温度に基づいて空調動作を制御するので、床面に位置する人に与える影響を更に考慮して、空調動作制御部による空調動作制御により、室温を更に的確に目標温度に近付けることが可能になる。
【発明の効果】
【００２２】
本発明によれば、吹出口の風向調整羽根の向きを室内空気吸入口側に向けて調和空気を吹き出す場合であっても、室温を的確に目標温度に近付けることができる空調動作制御が可能になる。
【図面の簡単な説明】
【００２３】
【図１】本発明の一実施形態にかかる室内機が採用された空気調和装置の概略構成図である。
【図２】室内ユニットの外観斜視図である。
【図３】室内ユニットの概略側面断面図であり、図４中にＡ−Ｏ−Ａで示す切断面における断面図である。
【図４】室内ユニットの天板を取り除いた状態を示す概略平面図である。
【図５】底板の下面視外観構成図である。
【図６】室内ユニットにおける下面視外観構成図である。
【図７】内枠化粧パネルの下面視外観構成図である。
【図８】外枠化粧パネルの下面視外観構成図である。
【図９】風向調整部の外観図である。
【図１０】風向調整部の側面視断面図である。
【図１１】空気調和装置の制御系を示す概略図である。
【図１２】第１長辺吹出口近傍における下面視部分拡大外観図である。
【図１３】第１長辺吹出口近傍における、図１２中のＢ−Ｂ切断面における概略断面図である。
【図１４】第１長辺吹出口近傍における、図１２中のＣ−Ｃ切断面における概略断面図を示す。
【図１５】風量抑制制御のイメージ図である。
【図１６】個別風量抑制制御時における風向調整部の傾斜状態の一例を示す図１２中のＢ−Ｂ切断面に相当する断面図である。
【図１７】空気調和装置による個別風量調節時の空調動作制御の第１実施形態を示すフローチャートである。
【図１８】各種条件と補正定数との関係を示す図である。
【図１９】下吹き時における風向調整の姿勢を示す図である。
【図２０】空気調和装置による個別風量調節時の空調動作制御の第２実施形態を示すフローチャートである。
【発明を実施するための形態】
【００２４】
以下、本発明の一実施形態にかかる天井設置型空気調和装置について、図面に基づいて説明する。
【００２５】
＜１＞空気調和装置１
図１は、本発明の一実施形態にかかる室内機が採用された空気調和装置１の概略構成図である。
【００２６】
空気調和装置１は、室内機のタイプが天井に埋め込まれることで設置されるタイプであり、８つの吹出口を有し、そのうち４つの吹出口に設けられた風向調節板の傾斜角度を風向調節板毎に独立して回動制御することができる。この空気調和装置１は、スプリットタイプの空気調和装置であり、主として、室外機２、室内機４、室外機２と室内機４とを接続する液冷媒連絡管５およびガス冷媒連絡管６、および、制御部７を有しており、蒸気圧縮式の冷媒回路１０を構成している。
【００２７】
＜１−１＞室外機２
室外機２は、室外等に設置されており、主として、圧縮機２１、四路切換弁２２、室外熱交換器２３、膨張弁２４、液側閉鎖弁２５、ガス側閉鎖弁２６、および、室外ファン２７を有している。
【００２８】
圧縮機２１は、低圧のガス冷媒を吸入し、圧縮して高圧のガス冷媒とした後に吐出するための圧縮機である。圧縮機２１は、圧縮機モータ２１ａにより駆動される。
【００２９】
四路切換弁２２は、冷房と暖房との切換時に、冷媒の流れの方向を切り換えるための弁である。四路切換弁２２は、冷房時には、圧縮機２１の吐出側と室外熱交換器２３のガス側とを接続するとともにガス側閉鎖弁２６と圧縮機２１の吸入側とを接続することが可能である（図１における四路切換弁２２の実線を参照）。また、四路切換弁２２は、暖房時には、圧縮機２１の吐出側とガス側閉鎖弁２６とを接続するとともに室外熱交換器２３のガス側と圧縮機２１の吸入側とを接続することが可能である（図１における四路切換弁２２の破線を参照）。
【００３０】
室外熱交換器２３は、冷房時には冷媒の凝縮器として機能し、暖房時には冷媒の蒸発器として機能する熱交換器である。室外熱交換器２３は、その液側が膨張弁２４に接続されており、ガス側が四路切換弁２２に接続されている。
【００３１】
膨張弁２４は、冷房時には室外熱交換器２３において凝縮された高圧の液冷媒を室内熱交換器４２（後述）に送る前に減圧し、暖房時には室内熱交換器４２において凝縮された高圧の液冷媒を室外熱交換器２３に送る前に減圧することが可能な電動膨張弁である。
【００３２】
液側閉鎖弁２５およびガス側閉鎖弁２６は、外部の機器・配管（具体的には、液冷媒連絡管５およびガス冷媒連絡管６）との接続口に設けられた弁である。液側閉鎖弁２５は、膨張弁２４に接続されている。ガス側閉鎖弁２６は、四路切換弁２２に接続されている。
【００３３】
室外ファン２７は、室外機２の内部に配置され、室外空気を吸入して、室外熱交換器２３に室外空気を供給した後に、ユニット外に排出する空気流れを形成する。このため、室外熱交換器２３は、室外空気を冷却源又は加熱源として冷媒を凝縮や蒸発させる機能を有している。この室外ファン２７は、ファンモータ２７ａにより駆動される。
【００３４】
また、室外機２には、各種のセンサが設けられている。具体的には、室外機２には、圧縮機２１の吸入圧力Ｐｓを検出する吸入圧力（低圧）センサ２８と、圧縮機２１の吐出圧力Ｐｄを検出する吐出圧力（高圧）センサ２９とが設けられている。
【００３５】
また、室外機２は、室外機２を構成する各部の動作を制御する室外制御部７０１を有している。室外制御部７０１は、室外機２の制御を行うために設けられたマイクロコンピュータやメモリ等を有しており、室内機４の室内制御部７０２との間で伝送線７ｄを介して制御信号等のやりとりを行う。
【００３６】
＜１−２＞室内機４
図２は、室内機４の外観斜視図である。図３は、室内機４の概略側面断面図であり、図４中にＡ−Ｏ−Ａで示す切断面における断面図である。図４は、室内機４の天板３３ａを取り除いた状態を示す概略平面図である。図５は、底板３３ｂの下面視外観構成図である。図６は、室内機４における下面視外観構成図である。図７は、内枠化粧パネル３７の下面視外観構成図である。図８は、外枠化粧パネル３８の下面視外観構成図である。図９は風向調整部７０の外観図である。図１０は風向調整部７０の側面視断面図である。
【００３７】
室内機４は、本実施形態において、天井埋込型と呼ばれる型式の天井設置型空気調和装置の室内機であり、室内機ケーシング３１、室内ファン４１、室内熱交換器４２、ドレンパン４０、および、ベルマウス４１ｃ等を有している。
【００３８】
室内機ケーシング３１は、ケーシング本体３１ａ、化粧パネル３２、および、風向調整部７０等から構成されている。
【００３９】
ケーシング本体３１ａは、図３および図４に示すように、空調室の天井Ｕに形成された開口に挿入されるようにして配置されており、その平面視において、長辺と短辺とが交互に形成された略８角形状の箱状体であり、下面が開口している。このケーシング本体３１ａは、長辺と短辺とが交互に連続して形成された略８角形状の天板３３ａと、天板３３ａの周縁部から下方に延びる側板３４と、天板３３ａおよび側板３４を下方から支える底板３３ｂと、を有している。
【００４０】
側板３４は、天板３３ａの長辺に対応する側板３４ａ、３４ｂ、３４ｃ、３４ｄと、天板３３ａの短辺に対応する側板３４ｅ、３４ｆ、３４ｇ、３４ｈとから構成されている。側板３４ｈには、室内熱交換器４２と冷媒連絡管５、６とを接続するための液側接続管５ａおよびガス側接続管６ａが、貫通している。
【００４１】
底板３３ｂは、化粧パネル３２等が取り付けられていない状態の下面図である図５に示すように、中央に略四角形の開口が設けられ、その周囲に複数の開口が設けられており、ケーシング本体３１ａの下面を構成する。この底板３３ｂは、図３に示すように、天板３３ａおよび側板３４よりも外側に広がって形成されており、下面側（室内側）に化粧パネル３２が取り付けられる。
【００４２】
なお、図３，図４，及び図５に示すように、ケーシング本体３１ａ内には、吸込口３５からケーシング本体３１ａ内部に空気を取り込むための空気流路３５ａと、空気流路３５ａの外側を取り囲むように配置されており略鉛直方向に伸びた形状であり調和空気を室内に吹き出すための各吹出流路５１ａ、５２ａ、５３ａ、５４ａ、６１ａ、６２ａ、６３ａ、６４ａが設けられている。
【００４３】
化粧パネル３２は、図２、図３及び図４に示すように、天井Ｕの開口に嵌め込まれるようにして配置されており、平面視が略４角形状の板状体であり、主として、ケーシング本体３１ａの底板３３ｂに対して室内側から取り付けられることで、ケーシング本体３１ａの下端部に固定されている。化粧パネル３２は、室内機４の下面図である図５に示すように、吸込グリル３２ａ、内枠化粧パネル３７、および、外枠化粧パネル３８によって構成され、吸込口３５および吹出口３６を有している。室内機４の設置状態で、内枠化粧パネル３７の下端は、外枠化粧パネル３８の下端よりもやや下方に位置するように配置されている。
【００４４】
吸込グリル３２ａは、ケーシング本体３１ａの下面中央に配置された、略四角形状のパネルである。内枠化粧パネル３７は、室内側から見た下面図である図７に示すように、略四角形状の枠部材であり、吸込口３５と吹出口３６との間に配置される。内枠化粧パネル３７の内側の縁３７ｉは、略四角形状であって、角部分が丸みを帯びた形状となっている。内枠化粧パネル３７の外側の縁は、内枠吹出口側直線部３７ａ、内枠吹出口側湾曲部３７ｂ、および、開口内側膨出部３７ｃ等から構成されている。内枠吹出口側直線部３７ａは、内側の縁３７ｉの各４辺のそれぞれの中心近傍に対応する外側の位置に設けられ、内側の縁３７ｉの辺と略平行であって直線的に伸びている部分である。内枠吹出口側湾曲部３７ｂは、内枠化粧パネル３７のコーナーに近づくにつれて、縁がより外側に位置するように形成されており、内側に向けてなだらかに窪んだ凹形状となっている。開口内側膨出部３７ｃは、内枠化粧パネル３７のコーナー付近の外縁を構成しており、各コーナーが丸みを帯びた形状で外側に膨出した形状となっている。
【００４５】
外枠化粧パネル３８は、ケーシング本体３１ａの下面の外縁を覆うように配置されており、吹出口３６の外側に配置されている。室内側から見た下面図である図８に示すように、外枠化粧パネル３８の外側の縁３８ｊは、略四角形状であって、ケーシング本体３１ａの底板３３ｂの縁に沿った形状となっており、コーナーが丸みを帯びている。外枠化粧パネル３８の内側の縁は、外枠吹出口側直線部３８ｄ、および、外枠吹出口側湾曲部３８ｅ等から構成されている。外枠吹出口側直線部３８ｄは、外側の縁３８ｊの各４辺のそれぞれの中心近傍に対応する内側の位置に設けられ、外側の縁３８ｊの辺と略平行であって直線的に伸びている部分である。外枠吹出口側湾曲部３８ｅは、外枠化粧パネル３８のコーナーに近づくにつれて、縁がより内側に位置するように形成されており、外側に向けてなだらかにふくらんだ凸形状となっている。このうち、外枠吹出口側直線部３８ｄの直線部分は、内枠吹出口側直線部３７ａの直線部分よりも短くなるように形成されており、内枠のうちの外枠吹出口側湾曲部３８ｅの比率が大きくなっているため、外枠吹出口側直線部３８ｄおよび外枠吹出口側湾曲部３８ｅの下面視は、円に近い形状となっている。
【００４６】
吸込口３５は、吸込グリル３２ａの略中央に設けられた略４角形状の開口である。この吸込口３５には、吸込口３５から吸入された空気中の塵埃を除去するためのフィルタ３９が設けられている。なお、吸込口３５のケーシング本体３１ａ内部側には、上述した空気流路３５ａが繋がっている。
【００４７】
吹出口３６は、内枠化粧パネル３７と外枠化粧パネル３８との間であって、吸込口３５の周囲を取り囲むように設けられており、長辺吹出口５０および短辺吹出口６０から構成されている。長辺吹出口５０は、吸込口３５の略四角形状における各辺に対応する位置に設けられた第１長辺吹出口５１、第２長辺吹出口５２、第３長辺吹出口５３、および、第４長辺吹出口５４の４つの吹出口から構成されている。この長辺吹出口５０は、開口の内側に向けて縁部分を有さないように形成されている。長辺吹出口５０は、長手方向と、長手方向に直行する方向である幅方向と、の長さの差が従来の吹出口よりも小さくなるように（長さのアスペクト比が従来よりも小さくなるように）構成されているため、長辺吹出口５０の中央近傍から吹き出される空気流れの初速度を上げることができている。
【００４８】
短辺吹出口６０は、吸込口３５の略四角形状における角部分に対応する位置に設けられた第１短辺吹出口６１、第２短辺吹出口６２、第３短辺吹出口６３、および、第４短辺吹出口６４の４つの吹出口から構成されている。吹出口３６は、長辺吹出口５０と短辺吹出口６０とが交互に並べられながら、略環状に配置されている。
【００４９】
なお、第１長辺吹出口５１、第２長辺吹出口５２、第３長辺吹出口５３および第４長辺吹出口５４には、それぞれ第１長辺吹出流路５１ａ、第２長辺吹出流路５２ａ、第３長辺吹出流路５３ａ、第４長辺吹出流路５４ａが繋がっている。また、第１短辺吹出口６１、第２短辺吹出口６２、第３短辺吹出口６３および第４短辺吹出口６４には、それぞれ第１短辺吹出流路６１ａ、第２短辺吹出流路６２ａ、第３短辺吹出流路６３ａ、第４短辺吹出流路６４ａが繋がっている。
【００５０】
第１長辺吹出口５１、第２長辺吹出口５２、第３長辺吹出口５３、第４長辺吹出口５４、第１短辺吹出口６１、第２短辺吹出口６２、第３短辺吹出口６３、および、第４短辺吹出口６４からは、それぞれ、室内機４内で調和された空気流れＦ５１、Ｆ５２、Ｆ５３、Ｆ５４、Ｆ６１、Ｆ６２、Ｆ６３、Ｆ６４が、吹き出し風向を調節されながら吹き出される。
【００５１】
風向調整部７０は、第１長辺吹出口５１から吹き出される調和空気の風向を調節する第１風向調整羽根７１、第２長辺吹出口５２から吹き出される調和空気の風向を調節する第２風向調整羽根７２、第３長辺吹出口５３から吹き出される調和空気の風向を調節する第３風向調整羽根７３、および、第４長辺吹出口５４から吹き出される調和空気の風向を調節する第４風向調整羽根７４を備えている。風向調整部７０の各長辺吹出口は、それぞれ、主として室内側を向く面についての外観図である図９、及び軸方向視断面図である図１０において示すように、回転軸方向に長い形状を有しており、空調室内に吹き出される調和空気の風向を調節する。風向調整部７０の各長辺吹出口は、本実施形態では、吹出口３６のうち、短辺吹出口６０には配置されることなく、長辺吹出口５０にのみ配置されている。
【００５２】
風向調整部７０は、図９及び図１０に示すように、フラップ本体８０、および、回転軸９０ｘを含んでいるアーム９０を有している。
【００５３】
フラップ本体８０は、回転軸９０ｘと略平行な方向に伸びて形成された板形状部材であって、アーム９０が取り付けられている側の面である裏面８０ｙとは反対側の面である表面８０ｘが、外側に突出した湾曲形状を有している。このようにフラップ本体８０が穏やかに湾曲した形状となっているため、長辺吹出口５０を通過する調和空気を進行方向に向けて緩やかに導くことができる。
【００５４】
フラップ本体８０の外縁は、内側に向けて窪んだ形状部分を有さないように形成されている。フラップ本体８０は、図９に示すように、表面８０ｘが主として室内側（吹き出し空気流れ下流側）を向いている状態において、室内側に近づくにつれて回転軸９０ｘとの距離が短くなるように設けられており、室内側にから離れるにつれて（吹き出し空気流れ上流側に向かうにつれて）回転軸９０ｘとの距離が長くなるように設けられている。これにより、風向調整部７０が回転した場合に、フラップ本体８０の一端と他端とで異なる軌跡をたどることになる。
【００５５】
フラップ本体８０の表面８０ｘには、図１０に示すように、表面８０ｘが主として吹き出し空気流れ下流側を向いている状態における外側端部近傍部分において、フラップ本体８０の長手方向に伸びるようにして凹凸形状部８０ｘａが設けられている。なお、フラップ本体８０の表面８０ｘは、この凹凸形状部８０ｘａが設けられている部分以外は、なめらかな略平面によって構成されている。
【００５６】
また、フラップ本体８０の裏面８０ｙには、パイル長さの異なる短繊維の混合物が均一に植毛してある植毛シート８０ｙａが貼付されている。この植毛シート８０ｙａは、フラップ本体８０の表面８０ｘが主として吹き出し空気流れ下流側を向いている状態で吹き出し風向を調節する際に、ケーシング本体３１ａ内部からの調和空気が当たる部分であり、フラップ本体８０における結露の発生を抑制させることができる。なお、この植毛シート８０ｙａは、図１０に示すように、表面８０ｘが主として吹き出し空気流れ下流側を向いている状態において、わずかに内側寄りに設けられており、フラップ本体８０の板厚方向において植毛シート８０ｙａと凹凸形状部８０ｘａが重なる部分が少なくなるように設けられている。
【００５７】
また、フラップ本体８０の外縁形状は、表面８０ｘ側から見た外観図である図９に示すように、フラップ内側直線部８０ａ、フラップ内側湾曲部８０ｂ、フラップ長手方向端部８０ｃ、フラップ外側直線部８０ｄ、および、フラップ外側湾曲部８０ｅ等から構成されている。フラップ内側直線部８０ａは、フラップ本体８０の表面８０ｘが室内側を向いている状態でフラップ本体８０の内側に位置しており、回転軸９０ｘ方向と略平行に伸びた直線形状部分の縁である。
【００５８】
このフラップ内側直線部８０ａは、フラップ本体８０の回転軸９０ｘの方向における中央近傍に設けられており、フラップ本体８０の長手方向の５０％程度の部分占めている。
【００５９】
フラップ内側湾曲部８０ｂは、フラップ内側直線部８０ａの両端から、各フラップ長手方向端部８０ｃをなだらかに繋いでいる縁であり、フラップ本体８０の外側になだらかにふくらんだ形状を有している。このフラップ内側湾曲部８０ｂは、フラップ本体８０の長手方向の端部から２５％程度の部分を占めている。
【００６０】
フラップ長手方向端部８０ｃは、回転軸９０ｘ方向に対して直行する幅方向において、すなわちフラップ内側直線部８０ａとフラップ外側直線部８０ｄとのいずれにも直行する方向において、フラップ外側直線部８０ｄ側に寄った位置に配置されている。言い換えると、フラップ本体８０の表面８０ｘ側から見た場合に、フラップ長手方向端部８０ｃとフラップ内側直線部８０ａとの幅方向の距離が、フラップ長手方向端部８０ｃとフラップ外側直線部８０ｄとの幅方向の距離よりも長くなるように設けられている。
【００６１】
フラップ外側直線部８０ｄは、フラップ本体８０の表面８０ｘが室内側を向いている状態でフラップ本体８０の外側に位置しており、回転軸９０ｘ方向と略平行に伸びた直線形状部分の縁である。フラップ外側直線部８０ｄも、フラップ本体８０の回転軸９０ｘの中心近傍に設けられているが、フラップ内側直線部８０ａの長さよりも短く形成されている。フラップ外側湾曲部８０ｅは、フラップ外側直線部８０ｄの両端から、各フラップ長手方向端部８０ｃをフラップ内側湾曲部８０ｂよりも急激に繋いでいる縁であり、外側になだらかにふくらんだ形状を有している。
【００６２】
アーム９０は、図９に示すように、フラップ本体８０の長手方向両端部近傍において、フラップ本体８０の裏面８０ｙから遠ざかる方向に向けて、回転軸９０ｘを超える部分まで伸びている。すなわち、このアーム９０の長さは、図９に示すように、フラップ本体８０の裏面８０ｙから回転軸９０ｘまでの距離Ｄよりも長く形成されている。アーム９０は、ケーシング本体３１ａの下面視でフラップ本体８０の表面８０ｘの大部分が見えている状態において、フラップ本体８０の板厚方向よりも、やや外枠化粧パネル３８側に傾斜するように伸びている。アーム９０のフラップ本体８０側端部とは反対側の端部近傍には、回転軸９０ｘに沿うように伸びている軸部材９０ａが設けられている（図９）。なお、アーム９０は、フラップ本体８０の表面８０ｘが室内側を向いている状態で、フラップ本体８０の裏面８０ｙのうち、やや下方から伸びており、フラップ本体８０の長手方向の中央近傍の幅に対して３０％程度の幅を有している。
【００６３】
室内ファン４１は、ケーシング本体３１ａの内部に配置された遠心送風機である。室内ファン４１は、室内の空気を化粧パネル３２の吸込口３５を通じてケーシング本体３１ａ内に吸入し、化粧パネル３２の吹出口３６を通じてケーシング本体３１ａ外へ吹き出す空気流れを形成させる。室内ファン４１は、ケーシング本体３１ａの天板３３ａの中央に設けられたファンモータ４１ａと、ファンモータ４１ａに連結されて回転駆動される羽根車４１ｂとを有している。羽根車４１ｂは、ターボ翼を有する羽根車であり、下方から羽根車４１ｂの内部に空気を吸入し、平面視における羽根車４１ｂの外周側に向かって吹き出すことができる。
【００６４】
室内熱交換器４２は、平面視における室内ファン４１の周囲を囲むように曲げられて、ケーシング本体３１ａの内部に配置されたフィンチューブ型熱交換器である。より具体的には、室内熱交換器４２は、所定間隔を空けて配置された多数の伝熱フィンと、これらの伝熱フィンを板厚方向に貫通した状態で設けられた複数の伝熱管とを有するクロスフィン型と呼ばれるフィンチューブ型熱交換器である。室内熱交換器４２の液側は、上記のように、液側接続管５ａを介して液冷媒連絡管５に接続されている。室内熱交換器４２のガス側は、ガス側接続管６ａを介してガス冷媒連絡管６に接続されている。そして、室内熱交換器４２は、冷房時には、冷媒の蒸発器として、暖房時には、冷媒の凝縮器として機能するようになっている。これにより、室内熱交換器４２は、室内ファン４１から吹き出された空気と熱交換を行って、冷房時には空気を冷却し、暖房時には空気を加熱することができるようになっている。
【００６５】
ドレンパン４０は、室内熱交換器４２の下側に配置され、室内熱交換器４２において空気中の水分が凝縮して生じるドレン水を受け取る。このドレンパン４０は、ケーシング本体３１ａの下部に装着されている。ドレンパン４０には、吹出孔４０ａと、吸入孔４０ｂと、ドレン水受け溝４０ｃが形成されている。吹出孔４０ａは、化粧パネル３２の吹出口３６に連通するように各所に形成されている。吸入孔４０ｂは、化粧パネル３２の吸込口３５に連通するように形成されている。ドレン水受け溝４０ｃは、室内熱交換器４２の下側に形成されている。
【００６６】
ベルマウス４１ｃは、ドレンパン４０の吸入孔４０ｂの内側に対応するように配置されており、吸込口３５から吸入される空気を室内ファンの羽根車４１ｂへと導く。
【００６７】
また、室内機４の室内空気の吸込口３５には、当該吸込口３５から室内機４内に吸入される室内空気の温度（すなわち、吸入温度）を検出する室内温度センサ４５が設けられている。本実施形態において、室内温度センサ４５は、例えば、サーミスタ等からなる。
【００６８】
さらに、室内機４には、風量センサ（風量検出部）４９が備えられている。風量センサ４９は、ファンモータ４１ａ（ファン４１）の回転数を検出することにより吹出口３６から吹き出される風量を検出する。
【００６９】
室内熱交温度センサ４６は、サーミスタ等からなり熱交換器４２の温度を検出する。
【００７０】
また、吹出口３６には、サーミスタ等からなる吹出温度センサ（吹出温度検出部）４８が設けられている。吹出温度センサ４８は、吹出口３６から吹き出される空気の温度を検出する。
【００７１】
床面温度センサ（床面温度検出部）４７は、室内機４のケーシング３１の例えばコーナ部に設けられている。床面温度センサ４７は、例えばサーモパイルセンサ等でなり、床面等から放射される赤外線を検知し、当該検知した赤外線の量に基づいて床面の温度を検出する。床面温度センサ４７は、室内機４内の室内制御部７０２に接続されて、当該室内制御部７０２に対して、検出した温度を示す信号を送出する。なお、床面温度センサ４７は、これに限定されず、当該室内機４が設置される室内の床に配設されたサーミスタ等のセンサであってもよい。
【００７２】
また、室内機４は、室内機４を構成する各部の動作を制御する室内制御部７０２を備えている。室内制御部７０２は、室内機４の制御を行うために設けられたマイクロコンピュータやメモリ等を有しており、室内機４を個別に操作するためのリモコン（図示せず）との間で制御信号等のやりとりを行ったり、室外機２の室外制御部７０１との間で制御信号等のやりとりを行う。
【００７３】
＜１−３＞制御部７
図１１は空気調和装置の制御系を示す概略図である。空気調和装置１は、制御部７を備える。制御部７は、図１１にも示すように、室外機２の各種構成機器を制御する室外制御部７０１と、室内機４の各種構成機器を制御する室内制御部７０２とを備える。この制御部７には、空気調和装置１の動作についてユーザから操作指示を受け付ける操作部（コントローラ）７０３が接続されている。
【００７４】
室内制御部７０２は、上述した吹出温度センサ４８、室内温度センサ４５、床面温度センサ４７、風量センサ４９、及び室内熱交温度センサ４６が接続されており、これら各センサから出力される温度検出信号又は風量検出信号を受け取る。室内制御部７０２は、当該受信した温度検出信号及び風量検出信号を室外制御部７０１に出力する。また、室内制御部７０２は、ファンモータ４１ａ、及び後述するフラップ駆動モータ９５を駆動制御する。このフラップ駆動モータ９５は、風向調整部７０をなす第１風向調整羽根７１、第２風向調整羽根７２、第３風向調整羽根７３及び第４風向調整羽根７４について各別に設けられている。室内制御部７０２は、これら各別のフラップ駆動モータ９５を個別に駆動制御することで、第１風向調整羽根７１、第２風向調整羽根７２、第３風向調整羽根７３及び第４風向調整羽根７４に対してそれぞれ独立した別個の動作を行わせる。
【００７５】
また、室内制御部７０２は、回転動作制御部７０２１を有する。回転動作制御部７０２１は、フラップ駆動モータ９５を駆動制御して風向調整部７０の各風向調整羽根の回動動作を制御する。
【００７６】
室外制御部７０１は、室外機２の動作制御を司る。また、室外制御部７０１は、温度補正部７０１１と、空調動作制御部７０１２を有する。
【００７７】
温度補正部７０１１は、回動動作制御部７０２１によって風向調整部７０の各風向調整羽根に対しての後述する個別風量抑制制御時に、室内温度センサ４５によって検出された室内温度（吸入温度）を、予め定められた補正値により補正する。当該温度補正部７０１１による室内温度センサ４５によって検出された室内温度の補正処理の詳細は後述する。
【００７８】
空調動作制御部７０１２は、目標温度と、温度補正部７０１１によって補正された補正温度とに基づいて空調動作を制御する。当該目標温度は、例えば、空調動作により到達させる室内温度の目標値であり、ユーザ等の操作者による操作部７０３の操作で入力され、空調動作制御部７０１２に設定される。或いは、空調動作制御部７０１２が、予め設定された運転スケジュール（時刻又は時間経過に応じた時間帯別室温スケジュール）を記憶しており、当該運転スケジュールに従って、上記目標温度が決定される。
【００７９】
空調動作制御部７０１２は、吸入圧力センサ２８及び吐出圧力センサ２９から出力される圧力検出信号を受け取り、当該圧力検出信号に基づいて、圧縮機モータ２１ａ及び膨張弁２４等を駆動制御し、また、四路切換弁２２及びファンモータ２７ａを駆動制御する。
【００８０】
室内制御部７０２の回転動作制御部７０２１は、上記風向調整部７０の動作制御として、独立風向制御、連動風向制御、及び個別風量抑制制御とを行う。
【００８１】
回転動作制御部７０２１は、独立風向制御として、上記各別のフラップ駆動モータ９５の各別の駆動制御により、第１風向調整羽根７１、第２風向調整羽根７２、第３風向調整羽根７３および第４風向調整羽根７４を、各風向調整羽根毎に独立させて回転状態を変化させ、上記吹出口３６のうちの第１長辺吹出口５１、第２長辺吹出口５２、第３長辺吹出口５３、および、第４長辺吹出口５４の４つの吹出口から吹き出される調和空気の風向を変化させる。
【００８２】
また、回転動作制御部７０２１は、連動風向制御として、各別のフラップ駆動モータ９５の全てを連動させる駆動制御により、第１風向調整羽根７１、第２風向調整羽根７２、第３風向調整羽根７３及び第４風向調整羽根７４の全てが同様の回動状態の姿勢となるように制御する。
【００８３】
操作部７０３は、入力ボタン等を有しており、独立風向制御を行わせるか、連動風向制御を行わせるか、のいずれかの指示をユーザから受けることができる。回転動作制御部７０２１は、操作部７０３が受け付けた独立風向制御、又は連動風向制御の指示に応じて、上記独立風向制御もしくは連動風向制御を行う。
【００８４】
回転動作制御部７０２１は、個別風量抑制制御として、上記各別のフラップ駆動モータ９５の各別の駆動制御により、上記吹出口３６のうちの第１長辺吹出口５１、第２長辺吹出口５２、第３長辺吹出口５３および第４長辺吹出口５４の４つについて、それぞれの各風向調整部７０の回動状態を個別に独立して調節し、吹出口からの吹き出し風量を最も低減させる姿勢にする制御を行う。
【００８５】
ここで、操作部７０３は、上述同様に、個別風量抑制制御を行わせる旨の指示、および、長辺吹出口５０のうちの吹出口風量を抑制させようとして選択される特定の長辺吹出口５０の指定、をユーザから受け付ける。
【００８６】
ここで、同時に、個別風量抑制制御によって吹き出し風量を抑制させた状態にすることができる長辺吹出口５０の数は、２以下であり、例えば、３つ以上の長辺吹出口５０について同時に個別風量抑制制御を行うことが制御部７によって禁止されている。具体的には、制御部７が、１番目および２番目に受け付けた特定の長辺吹出口５０についての個別風量抑制制御を持続させ、その後に操作部７０３が受け付けた特定の長辺吹出口５０についての個別風量抑制制御の設定入力を無視するようにする。なお、操作部７０３から、ユーザが特定の長辺吹出口５０についての個別風量抑制制御を解除した場合には、さらに別の長辺吹出口５０について個別風量抑制制御を行わせることができる。
【００８７】
なお、個別風量抑制制御時における風向調整部７０の各風向調整羽根の向きについては図１６を用いて後述する。
【００８８】
＜２＞基本動作
次に、冷房運転および暖房運転における空気調和装置１の動作について説明する。
【００８９】
＜２−１＞冷房動作
冷房時における冷媒回路１０は、四路切換弁２２が図１の実線で示される状態となっている。また、液側閉鎖弁２５、ガス側閉鎖弁２６は開状態にされ、膨張弁２４は冷媒を減圧するように開度調節される。
【００９０】
この冷媒回路１０の状態において、低圧のガス冷媒は、圧縮機２１に吸入されて、圧縮機２１において圧縮されて高圧のガス冷媒となって、圧縮機２１から吐出される。この高圧のガス冷媒は、四路切換弁２２を通じて室外熱交換器２３に送られて、室外熱交換器２３において室外空気と熱交換を行って凝縮して高圧の液冷媒となる。この高圧の液冷媒は、膨張弁２４に送られて、膨張弁２４において減圧されて低圧の気液二相状態の冷媒となる。この低圧の気液二相状態の冷媒は、液側閉鎖弁２５、液冷媒連絡管５および液側接続管５ａを通じて室内熱交換器４２に送られて、室内熱交換器４２において室内ファン４１から吹き出される空気と熱交換を行って蒸発して低圧のガス冷媒となる。この低圧のガス冷媒は、ガス側接続管６ａ、ガス冷媒連絡管６、ガス側閉鎖弁２６および四路切換弁２２を通じて圧縮機２１に再び送られる。
【００９１】
＜２−２＞暖房動作
次に、暖房時における冷媒回路１０は、四路切換弁２２が図１の破線で示される状態となっている。また、液側閉鎖弁２５、ガス側閉鎖弁２６は開状態にされ、膨張弁２４は冷媒を減圧するように開度調節される。
【００９２】
この冷媒回路１０の状態において、低圧のガス冷媒は、圧縮機２１に吸入されて、圧縮機２１において圧縮されて高圧のガス冷媒となって、圧縮機２１から吐出される。この高圧のガス冷媒は、四路切換弁２２、ガス側閉鎖弁２６、ガス冷媒連絡管６およびガス側接続管６ａを通じて室内熱交換器４２に送られて、室内熱交換器４２において室内ファン４１から吹き出される空気と熱交換を行って凝縮して高圧の液冷媒となる。この高圧の液冷媒は、液側接続管５ａ、液冷媒連絡管５および液側閉鎖弁２５を通じて膨張弁２４に送られて、膨張弁２４において減圧されて低圧の気液二相状態の冷媒となる。この低圧の気液二相状態の冷媒は、室外熱交換器２３に送られて、室外熱交換器２３において室外空気と熱交換を行って蒸発して低圧のガス冷媒となる。この低圧のガス冷媒は、四路切換弁２２を通じて圧縮機２１に再び送られる。
【００９３】
＜３＞長辺吹出口５０と風向調整部７０との配置関係
ここでは、第１長辺吹出口５１の近傍における第１風向調整羽根７１の配置を述べる。なお、第２長辺吹出口５２近傍、第３長辺吹出口５３近傍および第４長辺吹出口５４近傍については第１長辺吹出口５１近傍と同様であるため、説明を省略する。
【００９４】
＜３−１＞下面視における配置関係
図１２は、第１長辺吹出口５１近傍における下面視部分拡大外観図である。
【００９５】
室内機４の下面視において、第１長辺吹出口５１の内側には、第１風向調整羽根７１、および第１風向調整羽根７１の回転駆動用にフラップ駆動モータ９５が配置されている。
【００９６】
フラップ駆動モータ９５は、第１長辺吹出口５１の長手方向の両端内側であって、第１風向調整羽根７１の長手方向の両端外側に設けられている。このフラップ駆動モータ９５は、第１風向調整羽根７１のアーム９０から回転軸９０ｘに沿うように伸びている軸部材９０ａを介して、第１風向調整羽根７１と接続されており、第１風向調整羽根７１を回動させるための駆動力を与えている。具体的には、フラップ駆動モータ９５と第１風向調整羽根７１の軸部材９０ａとは、図示しないカム機構を構成しており、制御部７が、このフラップ駆動モータ９５に対して第１風向調整羽根７１の駆動状態を制御させるための制御信号を送ることで、カム機構を介した駆動制御が行われる。
【００９７】
第１長辺吹出口５１は、外側の縁が外枠化粧パネル３８によって構成され、内側の縁が内枠化粧パネル３７によって構成され、長手方向の端部はフラップ駆動モータ９５の内側側面によって構成されている。なお、第１長辺吹出口５１の長手方向の端部（フラップ駆動モータ９５の内側側面）における幅は、第１長辺吹出口５１の長手方向の中央近傍における幅の６０％程度となるように形成されている。具体的には、第１長辺吹出口５１の外側の縁は、外枠化粧パネル３８の外枠吹出口側直線部３８ｄおよび外枠吹出口側湾曲部３８ｅ等によって構成されている。また、第１長辺吹出口５１の内側の縁は、内枠化粧パネル３７の内枠吹出口側直線部３７ａおよび内枠吹出口側湾曲部３７ｂ等によって構成されている。これにより、第１長辺吹出口５１は、下面視において、外側に向けてややふくらみつつ、内側に向けて大きくふくらんだ形状を有している。なお、第１長辺吹出口５１の内側へのふくらみは、外側へのふくらみよりも大きくなるように形成されている。
【００９８】
外枠化粧パネル３８の外枠吹出口側直線部３８ｄは、第１長辺吹出口５１の長手方向の中央近傍に位置している。外枠化粧パネル３８の外枠吹出口側湾曲部３８ｅは、第１長辺吹出口５１の長手方向の両端近傍であって、フラップ駆動モータ９５の外側近傍に位置している。
【００９９】
内枠化粧パネル３７の内枠吹出口側直線部３７ａは、第１長辺吹出口５１の長手方向の中央近傍に位置している。内枠化粧パネル３７の内枠吹出口側湾曲部３７ｂは、第１長辺吹出口５１の長手方向の両端よりもやや内側寄りであって、フラップ駆動モータ９５の内側およびフラップ駆動モータ９５と第１風向調整羽根７１との間近傍に位置している。
【０１００】
第１風向調整羽根７１のフラップ本体８０の外側の縁を構成しているフラップ内側直線部８０ａ、フラップ内側湾曲部８０ｂおよびフラップ長手方向端部８０ｃ等と、第１長辺吹出口５１の外側の縁を構成している外枠化粧パネル３８の外枠吹出口側直線部３８ｄおよび外枠吹出口側湾曲部３８ｅ等との、水平方向の幅は、第１長辺吹出口５１の長手方向に全般にわたって略同じ幅（約２ｃｍ）となるように配置されている。
【０１０１】
第１風向調整羽根７１のフラップ本体８０の内側の縁を構成しているフラップ外側直線部８０ｄおよびフラップ外側湾曲部８０ｅ等と、第１長辺吹出口５１の内側の縁を構成している外枠化粧パネル３８の内枠吹出口側直線部３７ａおよび内枠吹出口側湾曲部３７ｂ等との、水平方向の幅は、第１長辺吹出口５１の長手方向に全般にわたって略同じ幅（約１ｃｍ）となるように、互いの縁が沿っているように配置されている。
【０１０２】
なお、第１風向調整羽根７１のフラップ本体８０の内側の縁と第１長辺吹出口５１の内側の縁との間の幅は、第１風向調整羽根７１のフラップ本体８０の外側の縁と第１長辺吹出口５１の外側の縁との間の幅の半分以下となるように構成されている。
【０１０３】
＜３−２＞風向調整部７０の中央近傍における配置関係
図１３は、第１長辺吹出口５１近傍における、図１２中のＢ−Ｂ切断面における概略断面図である。なお、図１３に示す風向調整部７０の姿勢は、上述した独立風向制御もしくは連動風向制御が行われている場合のフラップ本体８０の姿勢の一例でもある。
【０１０４】
第１長辺吹出流路５１ａは、図１３に示すように、第１長辺吹出口５１から空気流れ上流側に向けて伸びている。第１長辺吹出口５１近傍における第１長辺吹出流路５１ａの内側壁面は、ケーシング本体３１ａの底板３３ｂによって構成されている。フラップ本体８０の長手方向の中央近傍では、この第１長辺吹出流路５１ａの内側壁面は、図１３に示すように、曲率半径の中心が回転軸９０ｘ側に位置するように湾曲した形状となっており、第１長辺吹出口５１に近づくにつれて外側に位置するように形成されている。フラップ本体８０の長手方向の中央近傍では、この第１長辺吹出流路５１ａの外側壁面は、図１３に示すように、曲率半径の中心が回転軸９０ｘ側とは反対側に位置するように内側壁面の間隔が保たれるように湾曲した形状となっており、第１長辺吹出口５１に近づくにつれて外側に位置するように形成されている。なお、第１長辺吹出流路５１ａの中央近傍は、吹き出し方向端部の第１長辺吹出口５１部分における内側壁面および外側壁面の傾斜角度θ１が、水平方向に対して４０度程度に傾斜しており、より外側に向けて吹き出し空気を導くことができるようになっている。
【０１０５】
回転軸９０ｘは、第１長辺吹出流路５１ａの端部に位置している第１長辺吹出口５１よりも、空気流れ方向上流側に位置している。また、この回転軸９０ｘは、第１長辺吹出流路５１ａの内側壁面側よりも、第１長辺吹出流路５１ａの外側壁面側に近くなるように配置されている。
【０１０６】
アーム９０は、第１風向調整羽根７１の回転状態のうち最も第１長辺吹出口５１に近づく回転状態においても、第１長辺吹出流路５１ａの端部に位置している第１長辺吹出口５１と略重なる位置もしくは空気流れ上流側に位置している。
【０１０７】
フラップ本体８０の中央近傍における幅方向の長さは、回転軸９０ｘとフラップ本体８０の幅方向の一端側とを結ぶラインと、回転軸９０ｘとフラップ本体８０の幅方向の他端側とを結ぶラインとがなす角度が１３５度程度となるように設けられている。
【０１０８】
なお、独立風向制御もしくは連動風向制御が行われている際に、風向調整部７０のフラップ本体８０は、表面８０ｘのうちの中央近傍部分の水平面に対する傾斜角度が３０度程度である状態（図１３に相当）を基準として、プラス３０度程度およびマイナス３０度程度の範囲内で、フラップ駆動モータ９５によってスイング運転される。
【０１０９】
＜３−３＞風向調整部７０の端部近傍における配置関係
図１４に、第１長辺吹出口５１近傍における、図１２中のＣ−Ｃ切断面における概略断面図を示す。
【０１１０】
フラップ本体８０の長手方向の端部近傍では、第１長辺吹出流路５１ａの内側壁面は、図１４に示すように、第１長辺吹出口５１に近づくにつれて外側に位置するように形成された平面形状となっており、上述した中央近傍における湾曲形状とは異なっている。また、フラップ本体８０の長手方向の端部近傍では、第１長辺吹出流路５１ａの外側壁面は、内側壁面と同様であり、第１長辺吹出口５１に近づくにつれて外側に位置するように形成された平面形状となっており、上述した中央近傍における湾曲形状とは異なっている。この第１長辺吹出流路５１ａの内側壁面および外側壁面の形状は、フラップ本体８０の長手方向の中心近傍における形状と、フラップ本体８０の長手方向の端部近傍における形状とが、フラップ本体８０の長手方向の位置に応じて徐々に変化するように形成されている。なお、第１長辺吹出流路５１ａの端部近傍は、吹き出し方向端部の第１長辺吹出口５１部分における内側壁面および外側壁面の傾斜角度θ２１が、水平方向に対して５５度程度に傾斜しており、向けて吹き出し空気をより下方に導くことができるようになっている。
【０１１１】
フラップ本体８０の端部近傍における幅方向の長さは、回転軸９０ｘとフラップ本体８０の幅方向の一端側とを結ぶラインと、回転軸９０ｘとフラップ本体８０の幅方向の他端側とを結ぶラインと、がなす角度θ２が７５度程度となるように設けられている。言い換えると、フラップ本体８０の端部近傍における幅方向の長さは、フラップ本体８０の中央近傍における幅方向の長さの４０％程度となるように構成されている。
【０１１２】
＜４＞長辺吹出口５０と風向調整部７０との運転停止時の配置関係
ユーザからの運転停止（冷房動作や暖房動作等を行わない状態）の指示を操作部７０３が受け付けると、制御部７は、上記フラップ駆動モータ９５に制御信号を送り、風向調整部７０の全て、すなわち、第１風向調整羽根７１、第２風向調整羽根７２、第３風向調整羽根７３および第４風向調整羽根７４の全てを回動させることで、表面８０ｘが略鉛直下向きとなるように調節する。
【０１１３】
これにより、停止時には、室内機４の下面視において、長辺吹出口５０内が風向調整部７０によって最も覆われているように見え、化粧パネル３２と風向調整部７０との一体感を向上させることができる。これにより、運転停止時の室内機４の意匠性を向上させることができるとともに、ユーザは運転停止状態にあることを容易に把握することができる。
【０１１４】
＜５＞長辺吹出口５０と風向調整部７０との個別風量抑制制御時の配置関係
図１５に、風量抑制制御のイメージ図を示す。
【０１１５】
特定の長辺吹出口５０から吹き出される風量を抑制する旨の指示をユーザから操作部７０３が受け付けると、制御部７は、上記フラップ駆動モータ９５のうち、ユーザによって指示された特定の長辺吹出口５０に対応する位置に設けられた風向調整部７０の回動状態を制御するフラップ駆動モータ９５に向けて制御信号を送る。これにより、制御信号を受けたフラップ駆動モータ９５は、自己が回動状態を制御する風向調整部７０を回動させて、ユーザによって特定された長辺吹出口５０から吹き出される空気量を制限させる姿勢に調節する。例えば、図１５に示すように、室内機４が室内の壁面Ｗの近くであってユーザＰ１およびユーザＰ２の近くに配置されている場合に、ユーザＰ２側に吹き出す空気量を抑制させる旨の指示を操作部７０３が受け付けると、制御部７は、上述した個別風量抑制制御を行うことで、壁面Ｗ側へと第３長辺吹出口５３から吹き出される空気流れＦ５３の量を低減させつつ、ユーザＰ２側へと第２長辺吹出口５２から吹き出される空気流れＦ５２の量も低減させた状態とする。これにより、ドラフト感の低減を望んでいる場合や、冷房もしくは暖房によって冷え過ぎると感じたり暑過ぎると感じたりしている場合等に、ユーザが存在している側への調和空気の提供を低減させることができ、或いは、ユーザが存在していない壁面Ｗ側への調和空気の無駄な提供を低減させることができ、ユーザＰ２の望む風量（単位時間当たりの風量）を実現させることができる。
【０１１６】
図１６に、個別風量抑制制御時における風向調整部７０の傾斜状態の一例を示す図１２中のＢ−Ｂ切断面に相当する断面図を示す。
【０１１７】
個別風量抑制制御が行われるフラップ本体８０は、表面８０ｘが、第１長辺吹出流路５１ａの空気流れ上流側に向いた状態となるように、吹出温度センサの回動動作制御部７０２１によるフラップ駆動モータ９５の制御で回動動作が調節される。具体的には、回動動作制御部７０２１による当該制御で、表面８０ｘのうちの中央近傍部分の水平面に対する傾斜角度θ３（内側の角度）が１１０度程度である状態（図１６）となるように調節される。このとき、本実施形態では、フラップ本体８０は、当該フラップ本体８０が配設されている吹出口（５０）の内側に位置する。
【０１１８】
なお、この個別風量抑制制御時において、フラップ本体８０の姿勢は、フラップ駆動モータ９５によって回動されるが、独立風向制御もしくは連動風向制御が行われている図１３に示すような姿勢から、個別風量抑制制御が行われている図１６に示すような姿勢に至るまでの回動動作の間、フラップ本体８０と第１長辺吹出流路５１ａの壁面とは接触しない配置関係となっている。なお、フラップ本体８０の幅方向の一端側および他端側はいずれも、独立風向制御時もしくは連動風向制御時に、フラップ駆動モータ９５によってスイングされている場合には、一時的に、図１６中に示す第１長辺吹出口５１の面５１ｓよりも空気流れ下流側に位置する。
【０１１９】
これにより、個別風量抑制制御がされた長辺吹出口５０からの吹き出し空気量を低減させることができる。なお、この個別風量抑制制御時の傾斜角度は、この１１０度程度の角度から、プラス５度程度およびマイナス５度程度の範囲内で、微調節される。
【０１２０】
なお、この個別風量抑制制御が行われた状態において、第１長辺吹出流路５１ａの外枠化粧パネル３８側の壁面とフラップ本体８０の上方側の端部との間（図１６中Sp1で示す部分）には５ｍｍ〜１０ｍｍ程度の隙間が確保され、吹き出し空気がわずかに流れるようになっている。
【０１２１】
また、この個別風量抑制制御が行われた状態において、フラップ本体８０の下方側の端部（図１６中Sp2で示す部分）は、第１長辺吹出口５１よりも、第１長辺吹出流路５１ａの空気流れ上流側に位置している。これにより、フラップ本体８０は、室内機４内部で温度調節された調和空気で周囲全体を概ね覆うことができ、温度調節されていない室内側の空気はフラップ本体８０に触れにくくすることができる。このため、個別風量抑制制御によって長辺吹出口５０からの吹き出し空気量が低減された状態でも、温度調節されていない室内空気がフラップ本体８０に到達しにくくすることができ、フラップ本体８０での結露の発生を抑制させることができている。
【０１２２】
次に、空気調和装置１による個別風量調節時の空調動作制御の第１実施形態について説明する。図１７は、空気調和装置１による個別風量調節時の空調動作制御の第１実施形態を示すフローチャートである。
【０１２３】
ユーザによる操作部７０３の操作により、当該操作部７０３に空気調和装置１による空調動作での目標温度が入力され、室内制御部７０２が当該目標温度情報を取得すると（Ｓ１）、室内制御部７０２は、室内温度センサ４５から、検出された室内温度を取得する（Ｓ２）。
【０１２４】
続いて、室内制御部７０２は、回転動作制御部７０２１により個別風量抑制制御を行っているか否かを判断し（Ｓ３）、個別風量抑制制御を行っていないと判断した場合、すなわち、独立風向制御及び連動風向制御が行われていると判断した場合は（Ｓ３でＮＯ）、制御部７は、上記Ｓ２で取得された室内温度（室内温度センサ４５により検出された値）と、Ｓ１で取得された目標温度との差に基づいて、当該室内温度を目標温度に近付けるための通常の空調動作制御を行う（Ｓ９）。
【０１２５】
一方、室内制御部７０２により個別風量抑制制御が行われていると判断した場合は（Ｓ３でＹＥＳ）、室外制御部７０１の温度補正部７０１１が、この時点での運転モードが冷房運転又は暖房運転等のいずれであるかを判断し、当該時点で行われている運転モードに応じた補正定数Kを決定する（Ｓ４）。温度補正部７０１１は、例えば、図１８（ａ）に表で示すように、運転モードと補正定数Kとの関係をテーブル等により記憶している。温度補正部７０１１は、当該時点での運転モードに対応する補正定数を当該テーブルから読み出すこと等により補正定数Kを決定する。例えば、補正定数Kは、後述する算出式(1)(2)(3)を用いて空調動作制御に用いる補正後室内温度T’を算出する場合に、冷房運転及びドライ運転時は、室内温度センサ４５により検出される室内温度を上げる方向に補正する補正定数K=1、暖房運転時は、室内温度センサ４５により検出される室内温度を下げ方向に補正する補正定数K=-1、これ以外の運転モード（送風運転等）の場合は、室内温度センサ４５により検出される室内温度を変更させない補正定数K=0とされている。
【０１２６】
続いて、温度補正部７０１１は、この時点における各種条件に応じた補正定数Txを決定する（Ｓ５）。温度補正部７０１１は、例えば、図１８（ｂ）〜（ｆ）に表で示すように、各種条件と、それぞれの条件に対応する補正定数との関係をテーブル等により記憶している。温度補正部７０１１は、当該時点での各種条件に対応するそれぞれの補正定数を当該テーブルから読み出すこと等により各条件についての補正定数を決定する。
【０１２７】
例えば、温度補正部７０１１は、回動動作制御部７０２１により個別風量抑制制御の対象とされている風向調整部７０の風向調整羽根の個数を示す値を回動動作制御部７０２１から取得し、この個数に対応する補正定数Taを当該テーブルから読み出すこと等により、個別風量抑制制御の対象とされている風向調整羽根の個数に応じた補正定数Taを決定する（図１８（ｂ））。例えば、補正定数Taは、後述する算出式(1)(2)(3)(4)を用いて空調動作制御に用いる補正後室内温度T’を算出する場合に、個別風量抑制制御の対象とされている風向調整羽根の個数が多いほど、補正後室内温度T’の変化量が大きくなる値が用意されている。
【０１２８】
また、例えば、温度補正部７０１１は、回動動作制御部７０２１により個別風量抑制制御の対象とされている風向調整部７０の風向調整羽根の位置が、第１長辺吹出口５１，第２長辺吹出口５２，第３長辺吹出口５３，第４長辺吹出口５４の４つの吹出口のいずれであるかを示す情報を回動動作制御部７０２１から取得し、個別風量抑制制御の対象とされている風向調整羽根の位置に対応する補正定数をそれぞれ当該テーブルから読み出し、当該読み出した各補正定数の総和を、個別風量抑制制御の対象とされている風向調整部７０の風向調整羽根の位置に応じた補正定数Tbとする（図１８（ｃ））。なお、この補正定数は、室内温度センサ４５の取り付け位置に最も近い位置にある第４長辺吹出口５４（図５参照）については、室内温度センサ４５よりも比較的遠い位置に配置されている第１長辺吹出口５１，第２長辺吹出口５２，第３長辺吹出口５３の値（0.2）よりも大きめの値（0.3）が用いられる。
【０１２９】
また、例えば、温度補正部７０１１は、回動動作制御部７０２１により個別風量抑制制御の対象とされていない風向調整部７０の風向調整羽根であって、例えば図１９に示すように、調和空気を吹出口３６から室内機４の真下方向に吹き出す下吹き方向とされている風向調整羽根が存在するか否かを示す情報を回動動作制御部７０２１から取得し、下吹き方向とされている風向調整羽根が存在するか否かに対応する補正定数Tcを当該テーブルから読み出すこと等により、下吹き方向とされている風向調整羽根が存在するか否かに応じた補正定数Tcを決定する（図１８（ｄ））。なお、第１長辺吹出流路５１ａの中央近傍は、吹き出し方向端部の第１長辺吹出口５１部分における内側壁面および外側壁面の傾斜角度θ４が、水平方向に対して９０度程度に傾斜している。
【０１３０】
例えば、補正定数Tcは、後述する算出式(1)(2)(3)(4)を用いて空調動作制御に用いる補正後室内温度T’を算出する場合に、下吹き方向とされている風向調整羽根が存在する場合に、補正後室内温度T’の変化量が大きくなる値が用意されている。
【０１３１】
また、例えば、温度補正部７０１１は、風量センサ４９から、検出された吹出口３６からの吹き出し風量を示す値を取得し、当該風量に対応する補正定数Tdを当該テーブルから読み出すこと等により、吹出口３６からの吹き出し風量に応じた補正定数Tdを決定する（図１８（ｅ））。温度補正部７０１１は、この図１８（ｅ）に示されるように、例えば、吹出口３６からの吹き出し風量を低風量レベル、中風量レベル、高風量レベルの３段階に分け、当該風量がいずれのレベルに属するかに応じて補正定数Tdを決定する。例えば、補正定数Tdは、後述する算出式(1)(2)(3)(4)を用いて空調動作制御に用いる補正後室内温度T’を算出する場合、吹き出し風量が少ないほど当該吹き出された調和空気が吸込口３５に吸い込まれ易くなるので、吹き出し風量が少ないほど、補正後室内温度T’の変化量が大きくなる値が用意されている。
【０１３２】
また、例えば、温度補正部７０１１は、吹出温度センサ４８からの吹出温度、又は室内熱交温度センサ４６からの室内熱交換器温度のいずれかを取得し、当該風量に対応する補正定数Teを当該テーブルから読み出すこと等により、当該吹出温度又は室内熱交換器温度に応じた補正定数Teを決定する（図１８（ｆ））。温度補正部７０１１は、この図１８（ｆ）に示されるように、例えば、当該吹出温度又は室内熱交換器温度を温度高レベル、温度中レベル、温度低レベルの３段階に分け、当該吹出温度又は室内熱交換器温度がいずれのレベルに属するかと、この時点における運転モードとの組合せに対応する補正定数Teを当該テーブルから読み出すこと等により、当該吹出温度又は室内熱交換器温度に応じた補正定数Teを決定する。例えば、補正定数Teは、後述する算出式(1)(2)(3)(4)を用いて空調動作制御に用いる補正後室内温度T’を算出する場合、冷房運転時は、吹出温度又は熱交換器温度が低いほど、補正後室内温度T’の変化量が大きくなる値が用意され、暖房運転時は、吹出温度又は熱交換器温度が高いほど、補正後室内温度T’の変化量が大きくなる値が用意されている。
【０１３３】
温度補正部７０１１は、上記補正定数Ta〜Teのうち、１つ以上の任意の数の補正定数を補正定数Txとして採用可能である。温度補正部７０１１は、上記補正定数Ta〜Teから複数の補正定数を採用する場合、下記式(1)に示すように、補正定数Ta〜Teから採用した値の和を補正定数Txとする。
【０１３４】
補正定数Tx=Ta+Tb+Tc+Td+Te  …(1)
例えば、温度補正部７０１１は、上記補正定数Ta〜Teのうち、補正定数Taのみを補正定数Txとして採用する場合、下記式(1)により補正温度T1を算出する（Ｓ６）。
【０１３５】
T1=K*Ta  …(2)
また、例えば、温度補正部７０１１は、上記補正定数Ta〜Teのうち、全ての補正定数Ta〜Teを補正定数Txとして採用する場合、下記式(2)により補正温度T1を算出する（Ｓ６）。
【０１３６】
T1=K*(Ta+Tb+Tc+Td+Te)  …(3)
続いて、温度補正部７０１１は、Ｓ６で算出した補正温度T1を用いて、下記式(4)により、Ｓ２で取得した補正温度T0を補正し、空調動作制御に用いる補正後室内温度T’を算出する（Ｓ７）。
【０１３７】
T’=T0+T1  …(3)
この後、制御部７は、上記Ｓ７で算出された補正後室内温度T’と、Ｓ１で取得された目標温度との差に基づいて、当該室内温度T’を目標温度に近付けるための空調動作制御を行う（Ｓ８）。
【０１３８】
次に、空気調和装置１による個別風量調節時の空調動作制御の第２実施形態について説明する。図２０は、空気調和装置１による個別風量調節時の空調動作制御の第２実施形態を示すフローチャートである。なお、第１実施形態と同様に処理については説明を省略する。
【０１３９】
第２実施形態では、第１実施形態と同様にして補正後室内温度T’を算出した後（Ｓ１１乃至Ｓ１７）、以下の処理を行う。
【０１４０】
温度補正部７０１１は、補正後室内温度T’の算出後、床面温度センサ４７が検出した床面温度Tfを当該床面温度センサ４７から取得する（Ｓ１８）。さらに、温度補正部７０１１は、当該床面温度Tfと、上記算出した補正後室内温度T’との和に基づいて、下記式(5)により人付近温度Tを算出する（Ｓ１９）。
【０１４１】
T=T’*A+Tf*(1-A)  …(5)
ここで、Aは、人付近温度Tに対する補正後室内温度T’の寄与率を示す値（割合）であり、例えば、0〜1の間の値である。また、人付近温度Tに対する床面温度Tfの寄与率は1-Aとする。当該寄与率は、温度補正部７０１１が予め記憶しており、空気調和装置１の性能や室内温度センサ４５の感度等の諸要因に基づいて、空気調和装置１の製造者又はユーザ等により適宜変更が可能とされている。
【０１４２】
この後、制御部７は、上記Ｓ１９で算出された人付近温度Tと、Ｓ１で取得された目標温度との差に基づいて、当該人付近温度Tを目標温度に近付けるための空調動作制御を行う（Ｓ２０）。
【０１４３】
なお、本発明は上記実施の形態の構成に限られず種々の変形が可能である。例えば、上記図１乃至図２０に示した空気調和装置１の構成及び処理は、本発明に係る空気調和装置の構成及び処理の単なる一例に過ぎず、本発明に係る空気調和装置の構成及び処理を上記に示した内容に限定するものではない。本発明に係る空気調和装置は、空気調和装置１として示した構成及び処理のうち、各実施形態において必要な構成及び処理を備えてなる。
【０１４４】
また、上記実施形態では、空気調和装置１は、吹出口３６が長辺吹出口５０と短辺吹出口６０とが交互に並べられた八方吹きとされているが、これに限定されず、吹出口３６が短辺吹出口６０を備えず４つの長辺吹出口５０を備える四方吹きの構成であってもよい。さらには、空気調和装置１は、吹出口３６が２つの吹出口のみを備える二方向吹きの構成であってもよい。
【０１４５】
また、上記実施形態では、空気調和装置１は、４つの長辺吹出口５０が室内機４の下面に設けられた構成のものとしているが、これに限定されず、室内機１は、立方体又は直方体形状からなり、その４つの側面部に長辺吹出口５０が設けられた構成のものであってもよい。
【０１４６】
また、上記実施形態では、制御部７は、室外機２を制御する室外制御部７０１と、室内機４を制御する室内制御部７０２とを備えてなるが、この構成には限定されず、室外制御部７０１及び室内制御部７０２には分かれていない１つの制御部７が室外機２及び室内機４を制御するようにしてもよい。この場合、当該制御部７は、室外機２及び室内機４のいずれに設けられていてもよい。
【０１４７】
また、本発明に係る空気調和装置において、室内温度センサ４５によって検出される室内温度を補正する場合における上記諸条件、補正定数の決定方法、予め用意している補正定数等は、上記実施形態で示したものに限定されない。
【符号の説明】
【０１４８】
１          空気調和装置
２          室外機
４          室内機
４１        室内ファン
４１ａ      ファンモータ
４２        室内熱交換器
４５        室内温度センサ
４６        室内熱交温度センサ
４７        床面温度センサ
４８        吹出温度センサ
４９        風量センサ
７          制御部
７０１      室外制御部
７０１１    温度補正部
７０１２    空調動作制御部
７０２      室内制御部
７０２１    回転動作制御部
７０３      操作部
２７        室外ファン
２７ａ      ファンモータ
３１        室内機ケーシング
３５        吸込口
３５ａ      吸込流路
３６        吹出口
７０        風向調整部
７１        第１風向調整羽根
７２        第２風向調整羽根
７３        第３風向調整羽根
７４        第４風向調整羽根
９５        フラップ駆動モータ
【図１】
2011231975.tif 000003
【図２】
2011231975.tif 000004
【図３】
2011231975.tif 000005
【図４】
2011231975.tif 000006
【図５】
2011231975.tif 000007
【図６】
2011231975.tif 000008
【図７】
2011231975.tif 000009
【図８】
2011231975.tif 000010
【図９】
2011231975.tif 000011
【図１０】
2011231975.tif 000012
【図１１】
2011231975.tif 000013
【図１２】
2011231975.tif 000014
【図１３】
2011231975.tif 000015
【図１４】
2011231975.tif 000016
【図１５】
2011231975.tif 000017
【図１６】
2011231975.tif 000018
【図１７】
2011231975.tif 000019
【図１８】
2011231975.tif 000020
【図１９】
2011231975.tif 000021
【図２０】
2011231975.tif 000022